(57)【要約】【課題】  長板状の検出素子と金属端子とを備えたセンサにおいて、検出素子と金属端子との安定的な接触を図ることが可能なセンサの端子構造を提供する。【解決手段】  酸素センサに金属端子として備えられるリードフレーム１０は、フレーム本体１２と、フレーム本体１２の一端側が折り曲げられて形成された折曲部１４と、フレーム本体１２の折曲部１４側に形成された波状部分１６とを備える。そして、波状部分１６は、検出素子４とセラミックスリーブ６との間隔方向に高低差を有する波形形状に形成されており、検出素子４とセラミックスリーブ６との距離を拡大させる方向の弾性力を有するとともに、複数箇所で検出素子４の電極部に接触している。【選択図】図３
2010197410.tif 000002
【特許請求の範囲】
【請求項１】
長板状の検出素子と、
金属端子と、を備えたセンサにおける端子構造であり、
前記金属端子が、前記検出素子に接触する接触部を有し、
前記金属端子は、前記接触部が弾性変形して生じた弾性力によって、前記検出素子に対して弾性力を及ぼしていること、
を特徴とするセンサの端子構造。
【請求項２】
前記金属端子は、前記検出素子と接触する複数の前記接触部を有すること、
を特徴とする請求項１に記載のセンサの端子構造。
【請求項３】
前記センサは、前記検出素子の周囲に絶縁保護体を有し、
前記金属端子は、前記弾性力により前記検出素子と前記絶縁保護体に挟持されていること、
を特徴とする請求項１に記載のセンサの端子構造。
【請求項４】
前記金属端子は、前記検出素子又は前記絶縁保護体の少なくとも一方と接触する複数の前記接触部を有すること、
を特徴とする請求項３に記載のセンサの端子構造。
【請求項５】
前記接触部を介して前記検出素子と前記絶縁保護体に挟持されている前記金属端子の被挟持部は、前記検出素子と前記絶縁保護体との間隔方向に高低差を有する波型形状に形成されていること、
を特徴とする請求項３または請求項４に記載のセンサの端子構造。
【請求項６】
前記検出素子は、表面に電極部が形成されており、
少なくとも前記接触部の一つは前記電極部と接触し、少なくとも前記接触部の別の一つは前記検出素子の前記電極部以外の表面において接触していること、
を特徴とする請求項１から請求項５のいずれかに記載のセンサの端子構造。
【請求項７】
前記電極部に接触している接触部は、前記検出素子の前記電極部以外の表面に接触している接触部よりも前記検出素子に及ぼす弾性力が小さいこと、
を特徴とする請求項６記載のセンサの端子構造。
【請求項８】
内燃機関の排気管に装着されて、排気ガス中のガス成分を検出するガスセンサであり、
請求項１から請求項７のいずれかに記載の端子構造を備えることを特徴とするガスセンサ。
【請求項９】
温度を検出する温度センサであり、
請求項１から請求項７のいずれかに記載の端子構造を備えることを特徴とする温度センサ。
【発明の詳細な説明】
【技術分野】
【０００１】
本発明は、長板状の検出素子と金属端子とを備えたセンサの端子構造に関し、また、当該センサの端子構造を備えるガスセンサおよび温度センサに関する。
【背景技術】
【０００２】
従来より、センサとしては、測定対象の物理量に応じた電気信号を出力する検出素子を備え、金属端子やリード線などで構成される信号経路を通じて電気信号を外部に出力する構成のものが知られている。そして、検出素子は検出部で発生した電気信号を電極部から出力しており、金属端子は、電極部と接触することで電気信号を外部に出力する信号経路を形成する。そして、センサには、例えば、測定対象ガス中の被検出成分に応じた電気信号を出力する検出素子を備えたガスセンサ等がある。
【０００３】
ここで、従来のセンサの一例として、内燃機関の排気管に装着される酸素センサを図５に示す。図５に示す酸素センサ１００は、排気管に固定するためのネジ部１０２ａが外表面に形成された筒状の主体金具１０２と、主体金具１０２の筒内に挿入され、酸素イオン伝導性固体電解質体からなる電池素子を備えた長板状の検出素子１０４と、検出素子１０４を保持するために主体金具１０２の筒内下方から順に積層されるセラミックホルダ１０６、タルク粉末１０８、セラミックスリーブ１１０とを備えている。
【０００４】
この内、セラミックホルダ１０６およびセラミックスリーブ１１０は、外観が略円筒状を呈し、検出素子１０４の断面形状に沿った略長方形状の挿通孔が中心軸に沿って穿設されており、検出素子１０４はこれら挿通孔を介して保持される。
【０００５】
更に、セラミックスリーブ１１０は上部中央が上方に突出することにより突出部１１０ａが形成され、検出素子１０４は、この突出部１１０ａの上端から更に上方に突出した状態で保持される。そして、セラミックスリーブ１１０の突出部１１０ａ周囲の端面上には、加締リング１１２が配置され、主体金具１０２の後端部を、加締リング１１２を介してセラミックスリーブ１１０側に加締めることにより、タルク粉末１０８が加圧充填され、この結果、検出素子１０４，セラミックホルダ１０６，セラミックスリーブ１１０が主体金具１０２に固定される。
【０００６】
一方、検出素子１０４は、先端側（図５における下方）には検出部１０４ａが形成され、後端側（図５における上方）には検出部１０４ａにて生じた酸素濃淡電池起電力を外部に出力するための複数の電極部３０，３２，３４，３６が形成されている。そして、各電極部３０，３２，３４，３６は、リードフレーム１３１を介してリード線１１６と電気的に接続されている。なお、リードフレーム１３１は、リード線１１６と加締められて電気的に接続されており、上述の金属端子に相当する。
【０００７】
また、主体金具１０２の後端側外周には、外筒１１８が溶接等により固定されており、リード線１１６は、この外筒１１８の後端側内部に配置されたグロメット１２０を貫通して外部に引き出されている。そして、酸素センサ１００は、このリード線１１６を介して、検出素子１０４で発生した上記起電力（電気信号）を外部に出力することができる。
【０００８】
ここで、検出素子１０４とリードフレーム１３１とを接続するために、酸素センサ１００の内部に備えられるコンタクト部材１３０の分解斜視図を図６に示す。
図６に示すように、コンタクト部材１３０は、リードフレーム１３１、絶縁性ハウジング１３２、固定金具１３３、押圧バネ１３４およびカシメリング１３５から構成されている。そして、コンタクト部材１３０は、次のような手順で構成される。
【０００９】
まず、図６（ａ）に示すように、２本のリードフレーム１３１，１３１をセラミック製の絶縁性ハウジング１３２に配置する。そのあと、図６（ｂ）に示すように、このリードフレーム１３１、１３１がセットされた一対の絶縁性ハウジング１３２，１３２を、その間に検出素子１０４の電極部３０，３２，３４，３６を配置した状態で、断面略Ｕ字の押圧バネ１３４が取り付けられた固定金具１３３に挿入する。そして、この固定金具１３３にカシメリング１３５を被せて、カシメリング１３５の外周を加締めることにより、押圧バネ１３４に変位を与える。この押圧バネ１３４の変位により弾性力が発生し、この弾性力により絶縁性ハウジング１３２が所定の圧力で４本のリードフレーム１３１をそれぞれ電極部３０，３２，３４，３６に付勢することで、コンタクト部材１３０が構成されている。
【００１０】
つまり、カシメリング１３５の加締めにより、絶縁性ハウジング１３２が、検出素子１０４の電極部３０，３２，３４，３６に対して金属端子としてのリードフレーム１３１を付勢することで、電極部３０，３２，３４，３６とリードフレーム１３１との電気的接続を図っている。
【発明の概要】
【発明が解決しようとする課題】
【００１１】
しかし、上述のコンタクト部材１３０は、金属端子（リードフレーム１３１）と検出素子の電極部（電極部３０，３２，３４，３６）とを接触させる付勢力を、絶縁性ハウジング１３２の外側のカシメリング１３５および押圧バネ１３４により発生する構造であることから、複数の電極部が形成された検出素子では、一部の金属端子と電極部との電気的接続が不良となる場合がある。
【００１２】
つまり、検出素子の表面形状の個体差や、金属端子（リードフレーム１３１）、絶縁性ハウジング１３２などの寸法誤差が原因となり、金属端子毎に付勢力の差が生じてしまい、付勢力が小さい金属端子は十分に電極部と接触することができない虞がある。また、高温環境で使用されるセンサでは、熱の影響で検出素子に反り返りが生じたり、熱膨張により金属端子が変形する等の要因から、金属端子と電極部との間で接触不良が発生する可能性がある。さらに、高温環境となることで金属端子の弾性力が低下した場合には、金属端子と検出素子の電極部との接触が不安定となる。
【００１３】
また、図６では、片面あたり２個の電極部が形成された検出素子を例示しているが、片面あたり３個以上の電極部が形成された検出素子が使用されることもあり、片面に形成される電極部の個数が多くなるほど金属端子毎の付勢力の差が発生し易くなり、金属端子と電極部との電気的な接触不良が発生し易くなる。
【００１４】
さらに、温度変化の激しい環境下に設置されるセンサでは、周囲温度が高温となると金属端子は膨張し、周囲温度が常温あるいは低温となると金属端子は収縮することになる。そして、検出素子の電極部は厚さが薄く形成されていることから、設置環境の温度変化（換言すれば、熱サイクル）によって金属端子の膨張・収縮が繰り返されると、金属端子と電極部との間で生じる摩擦により電極部が削り取られてしまい、金属端子と電極部との接触不良が発生することがある。
【００１５】
本発明は、こうした問題に鑑みなされたものであり、長板状の検出素子と金属端子とを備えたセンサにおいて、検出素子と金属端子との安定的な接触を図ることが可能なセンサの端子構造を提供することを目的とする。
【課題を解決するための手段】
【００１６】
かかる目的を達成するためになされた請求項１に記載の発明は、長板状の検出素子と、金属端子と、を備えたセンサにおける端子構造であり、金属端子が、検出素子に接触する接触部を有し、金属端子は、接触部が弾性変形して生じた弾性力によって、検出素子に対して弾性力を及ぼしていることを特徴とする。
【００１７】
つまり、本発明（請求項１）のセンサの端子構造では、金属端子の接触部以外の部位で発生する弾性力で接触部を検出素子に付勢するのではなく、接触部が弾性変形することで発生する弾性力により、接触部が検出素子に付勢されることになる。例えば、検出素子が、その内部に金属端子を挟持可能な端子配置用空間を備えて形成される場合、その端子配置用空間に挿通された金属端子の接触部は、端子配置用空間の内壁に当接して変形することで弾性力を発生し、この弾性力により金属端子が検出素子に対して付勢されるのである。
【００１８】
また、他の部材を用いて金属端子を検出素子に付勢する構成である場合、本発明（請求項１）のセンサの端子構造を用いることで、金属端子の接触部以外の部位で発生する弾性力のみで接触部を検出素子に付勢するのではなく、接触部が弾性変形することで発生する弾性力も加わることにより、接触部が検出素子に付勢されることになる。また、他の部材により金属端子が検出素子に対して付勢されて接触部が変形すると、さらに接触部で発生する弾性力が増大し、より大きな付勢力で金属端子が検出素子に付勢される。
【００１９】
よって、本発明（請求項１）のセンサの端子構造によれば、より大きな付勢力で金属端子を検出素子に付勢する事ができ、金属端子と検出素子の安定的な接触を図ることが可能となる。また、付勢力が大きくなることで、高温環境においても、金属端子と検出素子との接触を良好に維持することができる。
【００２０】
そして、上述（請求項１）のセンサの端子構造は、請求項２に記載のように、金属端子が、検出素子と接触する複数の接触部を有するとよい。
このように、金属端子が１つの接触部のみではなく複数の接触部で検出素子と接触することにより、金属端子と検出素子との接触面積を大きく確保することが出来る。これにより、金属端子と検出素子との安定的な接触を維持することができる。
【００２１】
また、上述（請求項１）のセンサの端子構造は、請求項３に記載のように、センサが、検出素子の周囲に絶縁保護体を有し、金属端子が、前記弾性力により検出素子と絶縁保護体に挟持されているとよい。
【００２２】
つまり、検出素子の周囲に絶縁保護体を配置し、絶縁保護体と検出素子との間で金属端子を挟持して接触部を変形させることで、接触部での弾性力を発生させるのである。このように構成されたセンサでは、より大きな付勢力で金属端子を検出素子に付勢することができ、より安定的に金属端子と検出素子との接触を図ることが出来る。また、このとき、金属端子の接触部が弾性変形することから、検出素子と絶縁保護体との隙間間隔に寸法誤差が生じた場合でも、個別に接触部が弾性変形することにより、金属端子と検出素子との接触を維持することができる。
【００２３】
よって、本発明（請求項３）のセンサの端子構造によれば、絶縁保護体と検出素子との間で金属端子を挟持することにより、より大きな付勢力で金属端子を検出素子に付勢する事ができ、寸法誤差が生じた場合でも、金属端子と検出素子の安定的な接触を図ることが可能となる。
【００２４】
なお、絶縁保護体としては、内部を貫通して形成される挿通孔が設けられて、この挿通孔の内部に、検出素子と金属端子とが挿入配置されるように形成された絶縁保護体を用いるとよい。このような絶縁保護体を用いると、挿通孔の内面と検出素子の表面との間で確実に金属端子を挟持することができ、より安定的に金属端子と検出素子との接触を図ることが出来る。
【００２５】
そして、上述（請求項３）のセンサの端子構造は、請求項４に記載のように、金属端子が、検出素子又は絶縁保護体の少なくとも一方と接触する複数の接触部を有するとよい。
このように、金属端子が、１つの接触部だけではなく複数の接触部で検出素子または絶縁保護体と接触することにより、金属端子と検出素子との接触面積、あるいは金属端子と絶縁保護体との接触面積を大きく確保することが出来る。これにより、金属端子と検出素子との安定的な接触を維持することができ、また、金属端子と絶縁保護体との安定的な接触を維持することが出来る。
【００２６】
また、上述（請求項３または請求項４）のセンサの端子構造は、請求項５に記載のように、接触部を介して検出素子と絶縁保護体に挟持されている金属端子の被挟持部が、検出素子と絶縁保護体との間隔方向に高低差を有する波型形状に形成されているとよい。
【００２７】
つまり、検出素子と絶縁保護体との隙間方向に高低差を有する波形形状に形成された金属端子の被挟持部は、波形の高低差方向（波形の振幅方向）への弾性力を有すると共に、波形の複数の頂点部分で検出素子または絶縁保護体に接触することになる。
【００２８】
よって、本発明（請求項５）のセンサの端子構造によれば、同一検出素子における絶縁保護体との間隔が複数の金属端子毎にそれぞれ異なる場合や、温度変化による金属端子の膨張・収縮が繰り返された場合でも、金属端子と検出素子との接触不良が発生し難くなり、安定的な接触を維持することができる。
【００２９】
次に、上述（請求項１から請求項５のいずれか）のセンサの端子構造においては、請求項６に記載のように、検出素子は、表面に電極部が形成されており、少なくとも接触部の一つは電極部と接触し、少なくとも接触部の別の一つは検出素子の電極部以外の表面において接触しているとよい。
【００３０】
つまり、金属端子の役割としては、検出素子の固定などの目的もあり得るが、検出素子に電極部が形成されている場合には、検出素子と外部回路とを電気的に接続する通電経路の一部を形成することも出来る。その場合、金属端子は電極部のみに接触する構成とすることも出来るが、電極部以外の検出素子表面においても接触させることができる。この様に電極部と電極部以外の前記検出素子表面の両方に接触部を有するような金属端子は、検出素子の固定と、電極部との電気的接続という複数の役割を持たせることが出来る。
【００３１】
よって、本発明（請求項６）のセンサの端子構造によれば、大きな付勢力で付勢される金属端子が、検出素子の固定と、電極部との電気的接続という複数の役割を果たすことにより、安定的な検出素子の固定を維持できるとともに、電極部との電気的接続を維持して通電経路での接触不良の発生を抑制できる。
【００３２】
なお、電極部以外に接触する接触部は検出素子を固定する目的もあり得るが、検出素子が金属端子以外の手段で固定されており、金属端子が電気的接続を図ることを主目的とした場合にも有用である。すなわち、検出素子と金属端子との相対的な位置関係を強固に維持するために、電極部以外の接触部で強力に弾性力を発生させるのである。
【００３３】
また、上述（請求項６）のセンサの端子構造においては、請求項７に記載のように、電極部に接触している接触部は、検出素子の電極部以外の表面に接触している接触部よりも検出素子に及ぼす弾性力が小さいとよい。
【００３４】
つまり、金属端子が、電極部と電極部以外の検出素子表面の両方に接触部を有するような場合には、電極部に接触する接触部における弾性力は、電極部以外の検出素子表面に接触する接触部における弾性力よりも小さく設定することが望ましい。すなわち、電極部は強い弾性力が掛かると検出素子から剥がれてしまう虞があるため、金属端子が電極部のみで検出素子に接触している場合は、金属端子は必ずしも安定的に検出素子に接触できない。
【００３５】
そのため、電極部以外の検出素子表面に接触する接触部における弾性力を比較的強く設定することで、電極部における接触部の弾性力を小さく設定することができ、電極部の損傷を抑えることができる。また、電極部以外の検出素子表面に接触する接触部における弾性力が強く設定されることから、金属端子と検出素子との接触をより安定的に維持することができる。また、金属端子の接触部で検出素子を保持する場合にももちろん有用である。
【００３６】
よって、本発明（請求項７）のセンサの端子構造によれば、金属端子と検出素子の電極部との電気的接続を維持することができると共に、検出素子が保持可能となることで、検出素子を保持するための部材を別途設ける必要が無くなり、センサの内部構造を簡略化することができる。
【００３７】
なお、被挟持部が波形形状に形成された金属端子においては、例えば、波と波との頂点間隔を変化させることや波の振幅を変化させること等により、被挟持部のうち、電極部に接触する部分と検出素子本体部に接触する部分との弾性力に差を持たせることができる。
【００３８】
そして、上述（請求項１から請求項７のいずれか）のセンサの端子構造を適用するセンサとしては、請求項８に記載のように、内燃機関の排気管に装着されて、排気ガス中のガス成分を検出するガスセンサが適している。
【００３９】
つまり、内燃機関の排気ガスは、非常に高温（９００℃）から非常に低温（零下３０℃）までの広い温度範囲で温度が変化することになり、温度変化の影響により金属端子と検出素子との接触が不安定となることが多い。そこで、ガスセンサに対して、上述のセンサの端子構造を適用することにより、検出素子に安定的に金属端子を接触させることができ、上述のセンサの端子構造が奏する効果を十分に発揮させることが可能となる。
【００４０】
よって、請求項８に記載のガスセンサによれば、高温から低温までの広い温度範囲において使用可能なガスセンサを実現することが出来る。
また、上述（請求項１から請求項７のいずれか）のセンサの端子構造を適用するセンサとしては、ガスセンサの他には、請求項９に記載のように、温度を検出する温度センサが適している。
【００４１】
つまり、上述のセンサの端子構造を適用した温度センサは、低温から高温までの広い温度範囲で、金属端子と検出素子との安定的な接触を維持することが可能となる。
よって、請求項９に記載の温度センサによれば、高温から低温までの広い温度範囲において使用可能な温度センサを実現することが出来る。
【図面の簡単な説明】
【００４２】
【図１】実施例の酸素センサの全体構成を示す断面図である。
【図２】検出素子の説明図である。
【図３】（ａ）はリードフレームの外観図であり、（ｂ）は一体に組み付けられた状態のリードフレーム，検出素子およびセラミックスリーブを示す断面図であり、（ｃ）はリードフレームの波状部分および検出素子の電極部が当接する部分の拡大図である。
【図４】セラミックスリーブの説明図である。
【図５】従来の酸素センサの全体構成を示す断面図である。
【図６】従来の酸素センサの内部に備えられるコンタクト部材の分解斜視図である。
【図７】（ａ）及び（ｂ）は電極部を６個備えた検出素子の説明図であり、（ｃ）は電極部を５個備えた検出素子の説明図である。
【発明を実施するための形態】
【００４３】
以下に本発明のセンサの端子構造を適用したセンサの実施例を図面と共に説明する。なお、本実施例では、ガスセンサの一種である酸素センサについて説明する。
【００４４】
図１は、本実施例の酸素センサ２の全体構成を示す断面図である。なお、酸素センサ２は、図５に示した酸素センサ１００とは、検出素子の形状、検出素子からの信号（酸素濃淡電池起電力）の取り出し部分の構造、および酸素センサ自体の後端側（図１における上方）の構造等が異なり、その他の部分は同様に構成されている。ここでは、図５に示した酸素センサ１００と共通する部分には同一符号を付してその詳細な説明を省略する。
【００４５】
即ち、酸素センサ２は、筒状の主体金具１０２と、主体金具１０２の筒内に挿入される長板状の検出素子４と、検出素子４を保持するために主体金具１０２の筒内下方から積層されるセラミックホルダ１０６、タルク粉末１０８および後述のセラミックスリーブ６と、検出素子４にて検出された電気信号（即ち、酸素濃淡電池起電力）を取り出すため等に用いる後述の複数（本実施例では４本）の長尺状のリードフレーム１０とを備えている。
【００４６】
この内、検出素子４は、長方形状の軸断面を有し、図２（ａ）に示すように、それぞれ長板状に形成された酸素濃淡電池素子２０と、酸素濃淡電池素子２０を活性化させるためのヒータ２２とが積層されて形成されている。尚、酸素濃淡電池素子２０は、例えば、ジルコニア等を主体とする酸素イオン伝導性固体電解質体により形成されている。また、ヒータ２２は、例えば、導電性セラミックからなる抵抗発熱体パターン２４をセラミック基体中に埋設した公知のセラミックヒータから形成されている。
【００４７】
そして、酸素濃淡電池素子２０の長手方向の先端側（図２（ａ）における左方）には、両面に多孔質電極２６，２８が形成され、これら電極２６，２８とそれらの間に挟まれる固体電解質部分とが検出素子４の検出部４ａを構成する。
【００４８】
また、多孔質電極２６，２８からは、酸素濃淡電池素子２０の長手方向に沿って酸素センサ２の後端側（図２（ａ）における右方）に向けて延びる電極リード部２６ａ，２８ａが一体形成されている。この内、ヒータ２２と対向しない側の電極２６からの電極リード部２６ａは、その末端が電極部３０として用いられる。一方、ヒータ２２に対向する側の電極２８の電極リード部２８ａは、図２（ｃ）に示すように、酸素濃淡電池素子２０を厚さ方向に横切るビア２８ｂにより、反対側の素子面に形成された電極部３２と接続され、各電極部３０，３２は、酸素濃淡電池素子２０の板面末端に間隔を空けて配置されている。
【００４９】
一方、ヒータ２２には、抵抗発熱体パターン２４に導通するための二本のリード部２４ａが形成され、図２（ｄ）に示すように、ヒータ２２の酸素濃淡電池素子２０と対向しない側の板面末端に形成された電極部３４，３６に、それぞれビア３８を介して接続されている。そして、図２（ｂ）に示すように、酸素濃淡電池素子２０とヒータ２２とは、セラミック（例えば、ジルコニア系セラミックやアルミナ系セラミック）層４０を介して互いに接合される。
【００５０】
このように構成された検出素子４は、図１に示すように、先端側（図１における下方）の検出部４ａが、排気管に固定される主体金具１０２の先端より突出した状態で、この主体金具１０２内に固定される。尚、検出素子４は、図５に示す従来の酸素センサ１００が備える検出素子１０４よりも長手方向の長さが短く形成されている。
【００５１】
一方、主体金具１０２の先端側（図１における下方）外周には、検出素子４の突出部分を覆うと共に、複数の孔部を有し、金属製の二重のプロテクタ４２ａ，４２ｂが溶接等によって取り付けられている。そして、主体金具１０２の後端側外周には、外筒４４が溶接等により固定されている。また、外筒４４の後端側（図１における上方）の開口部には、検出素子４にて生じた酸素濃淡電池起電力を外部に取り出すためのリード線４６が挿通されるリード線挿通孔が形成されたセラミックセパレータ４８とグロメット５０とが配置されている。
【００５２】
さて、検出素子４は、主体金具１０２の筒内下方より配置されるセラミックホルダ１０６、タルク粉末１０８、セラミックスリーブ６と、セラミックスリーブ６との間に配置されるリードフレーム１０とを介して主体金具１０２に固定され、しかも、検出素子４の電極部（電極部３０，３２，３４，３６）が形成された側の端部側の周囲が、セラミックスリーブ６に覆われた状態で固定される。
【００５３】
この内、セラミックスリーブ６は、従来の酸素センサ１００が備えるセラミックスリーブ１１０とは、主として検出素子を挿通（保持）する挿通孔の形状が異なり、その他の形状や構造は同様である。
【００５４】
即ち、セラミックスリーブ６は、図４（ａ）や、図４（ａ）中に記したＡ方向（即ち、下端から上端に向かう方向）から当該セラミックスリーブ６を見た底面図（拡大した底面図）である図４（ｂ）に示すように、上部中央が上方に突出することにより突出部５２が形成され、中心軸に沿って挿通孔５４が形成されている。そして、挿通孔５４では、検出素子４の電極部３０，３２，３４，３６が形成された側の板面に対応する内壁には、それぞれ溝部５６が形成されている。つまり、挿通孔５４には、４つの溝部５６が形成され、これにより、挿通孔５４は、断面が略「エ」字状を呈している。
【００５５】
ここで、セラミックスリーブ６は、特許請求の範囲に記載の「絶縁保護体」に相当する。また、図４（ａ）においてはセラミックスリーブ６の右半分を、図４（ｂ）中のＢ−Ｂ断面部分に相当する断面図として表している。
【００５６】
一方、リードフレーム１０は、図３（ａ）に示すように、全体の外観が略Ｌ字状を呈するように形成されている。即ち、リードフレーム１０は、フレーム本体１２と、フレーム本体１２の一端側が折り曲げられて形成された折曲部１４と、フレーム本体１２の折曲部１４側に形成された波状部分１６とを備える。また、リードフレーム１０は、例えば、高温に繰り返し晒されても、弾性（バネ弾性）を保持可能な周知のインコネルやステンレス鋼などにて形成されている。
【００５７】
そして、波状部分１６は、リードフレーム１０をセラミックスリーブ６へ装着する際に、検出素子４とセラミックスリーブ６との間隔方向に高低差を有する波形形状に形成されており、検出素子４とセラミックスリーブ６との距離を拡大させる方向の弾性力を有している。
【００５８】
ここで、リードフレーム１０は、特許請求の範囲に記載の「金属端子」に相当し、波状部分１６は、特許請求の範囲に記載の「被挟持部」に相当する。
そして、リードフレーム１０および検出素子４が、図３（ｂ）に示すように、セラミックスリーブ６の挿通孔５４に挿通されることにより、リードフレーム１０，検出素子４およびセラミックスリーブ６が一体に組み付けられる。
【００５９】
このとき、リードフレーム１０は、フレーム本体１２および波状部分１６がセラミックスリーブ６の挿通孔５４の溝部５６に配置され、折曲部１４がセラミックスリーブ６の下端面に当接するとともに、波状部分１６が検出素子４の電極部３０，３２，３４，３６に当接し、さらに、フレーム本体１２の折曲部１４とは反対側の端部（図中上方）がセラミックスリーブ６から突出する状態で配置される。
【００６０】
つまり、リードフレーム１０、検出素子４およびセラミックスリーブ６が一体に組み付けられることにより、検出素子４の電極部３０，３２，３４，３６が対応するリードフレーム１０の波状部分１６に当接することになる。
【００６１】
ここで、リードフレーム１０、検出素子４およびセラミックスリーブ６が一体に組み付けられた時の、リードフレーム１０の波状部分１６および検出素子４の電極部３０が当接する部分の拡大図を図３（ｃ）に示す。なお、図３（ｃ）では、セラミックスリーブ６の図示を省略している。
【００６２】
図３（ｃ）に示すように、リードフレーム１０の波状部分１６は、検出素子４の電極部３０に当接する第１波状部分１６ａと、検出素子４の本体部分に当接する第２波状部分１６ｂとから構成されている。この第１波状部分１６ａおよび第２波状部分１６ｂは、それぞれ異なる波形形状に形成されており、第１波状部分１６ａの有する弾性力は、第２波状部分１６ｂの有する弾性力よりも小さくなるよう形成されている。
【００６３】
そして、波状部分１６は、検出素子４およびセラミックスリーブ６からの圧力を受けて、検出素子４とセラミックスリーブ６との間隔方向に弾性変形することにより、第１波状部分１６ａが電極部３０に当接し、第２波状部分１６ｂが検出素子４の本体部分に当接する。この結果、第１波状部分１６ａが電極部３０と電気的に接続され、第２波状部分１６ｂが検出素子４を保持することになる。
【００６４】
なお、第１波状部分１６ａは、その弾性力が、少なくとも第１波状部分１６ａと電極部３０とが接触可能な大きさに設定されており、リードフレーム１０と電極部３０との電気的接続を維持している。また、第１波状部分１６ａは、３つの波形の頂点部分において、電極部３０と当接している。
【００６５】
そして、第２波状部分１６ｂによる検出素子４の保持は、一対のリードフレーム１０の各第２波状部分１６ｂが、弾性力によりセラミックスリーブ６の挿通孔５４の内面および検出素子４の表面に対して付勢力を発生し、検出素子４を挟持することで実現される。これにより、検出素子４がセラミックスリーブ６に対して固定される。
【００６６】
このようにして一体に組み付けられたリードフレーム１０、検出素子４およびセラミックスリーブ６は、主体金具１０２に固定されることにより、酸素センサ２の内部に配置される、
そして、酸素センサ２では、図１に示すように、セラミックスリーブ６から突出したリードフレーム１０のフレーム本体１２の端部（図１における上方）に、リード線４６が抵抗溶接により固定される。つまり、酸素センサ２では、リード線４６およびリードフレーム１０を介して、検出素子４にて生じた電気信号（酸素濃淡電池起電力）を外部に取り出すことができる。
【００６７】
以上、説明したように、本実施例の酸素センサ２に用いられるリードフレーム１０は、外部から与えられる付勢力によって検出素子４の電極部３０に付勢されるのではなく、リードフレーム１０の波状部分１６が有する弾性力により電極部３０に付勢される。また、波状部分１６は、検出素子４とセラミックスリーブ６との距離を拡大させる方向の弾性力を有することから、弾性力を発揮する範囲内で形状が変化することになる。
【００６８】
このため、リードフレーム１０は、寸法誤差等の要因により、同一検出素子４におけるセラミックスリーブ６との間隔が、複数の電極部毎にそれぞれ異なる場合でも、波状部分１６が弾性変形することで電極部と接触することができ、各電極部３０，３２，３４，３６との電気的接続を確実に維持することが出来る。
【００６９】
また、互いに接触するリードフレーム１０と電極部とにおいては、リードフレーム１０の波状部分１６が複数箇所で電極部と接触することから、センサの設置環境における温度変化（熱サイクル）によりリードフレーム１０が膨張・収縮を繰り返した場合に、全ての接触箇所において電極部が削り取られることは起こり難い。よって、このリードフレーム１０は、熱サイクルにより膨張・収縮を繰り返した場合でも、複数の接触箇所のいずれかで電極部と接触することができるため、接触不良が発生し難くなり、電極部との電気的接続を確実に維持することができる。
【００７０】
さらに、本実施例のリードフレーム１０は、波状部分１６が電極部および検出素子４の本体部分と接触することから、より広い範囲で検出素子４と接触でき、検出素子４に対してより大きな付勢力を発生することが出来る。これにより、リードフレーム１０によって検出素子４を保持することが可能となり、検出素子４を保持するための部材をセンサ内部に別途設ける必要が無くなり、酸素センサ２の内部構造を簡略化することができる。
【００７１】
一方、リードフレーム１０は、第１波状部分１６ａの弾性力が、第２波状部分１６ｂの有する弾性力よりも小さくなるよう形成されており、検出素子４の電極部に対する付勢力が過大となることはなく、電極部を削り取ることはない。また、第１波状部分１６ａの弾性力は、少なくとも第１波状部分１６ａと電極部３０，３２，３４，３６とが接触可能な大きさに設定されており、リードフレーム１０と電極部との電気的接続を維持している。
【００７２】
よって、本実施例の酸素センサ２の端子構造によれば、リードフレーム１０が、検出素子４の電極部３０，３２，３４，３６との電気的接続を維持することができると共に検出素子４を保持することができるため、センサの内部構造を簡略化することができる。
【００７３】
また、本実施例の酸素センサ２は、内燃機関の排気管などの高温環境下で使用されるものであり、また、検出素子４がヒータ２２により高温に維持されて酸素を検出する検出素子としての特性を示す。このことから、検出素子４は、酸素センサ２の使用時と未使用時における温度差が大きいため、リードフレーム１０の膨張・収縮が繰り返される。しかし、リードフレーム１０が、複数箇所で電極部に接触することから、温度変化の影響によってすべての接触部分における電極部が削り取られるのを防ぐことができ、リードフレーム１０と検出素子４の各電極部３０，３２，３４，３６との電気的接続を維持することができる。
【００７４】
さらに、このリードフレーム１０は、検出素子４の電極部３０，３２，３４，３６に必ずしも溶接等により固着する必要が無く、単に、検出素子４とセラミックスリーブ６とで挟持するようにして配置すればよく、その作業は極めて簡単であり、センサの組立て作業における作業効率が向上する。
【００７５】
以上、本発明の実施例について説明したが、本発明は上記実施例に限定されるものではなく、種々の態様を採ることができる。
例えば、検出素子は電極部の個数が４個のものに限ることはなく、図７（ａ）に示すような６個の電極部２３０，２３２，２３４，２３６，２３８，２４０を備えた検出素子５において、各電極部から出力される電気信号の信号経路を形成する場合にも、本発明のセンサの端子構造を適用することが出来る。
【００７６】
なお、図７（ｂ）は、検出素子５を、後端部側（図７（ａ）の矢印Ｄ方向）から見たときの外観図を示している。また、電極部を６個備えた検出素子５を配置するためのセラミックスリーブ６は、図４（ｃ）に示すように、挿通孔５４の内部に６個の溝部５６が形成されている。
【００７７】
また、形成される電極部の個数が一方の面と他方の面とで異なる検出素子においても、本発明のセンサの端子構造を適用することが出来る。例えば、図７（ｃ）に示すように、一方の面には３個の電極部が形成され、他方の電極部には２個の電極部が形成される検出素子７である。なお、この検出素子７に適用する場合には、上面の電極部２３０，２３２，２３４に対応する金属端子の各幅の合計寸法と、下面の電極部２３６，２３８に対応する金属端子の各幅の合計寸法が等しくなるようにするとよい。これにより、検出素子７の上面および下面に対する付勢力のバランスを取ることができ、一部の電極部に対して過剰な付勢力が印加されるのを避けることができ、電極部が削り取られるのを防ぐことが出来る。
【００７８】
さらに、本発明のセンサの端子構造は、図５に示す従来の構造のセンサにも適用することができ、電極部が多数形成された検出素子を備える場合に、電極部ごとの付勢力のバラツキを抑えることができ、金属端子と電極部との電気的接続を維持することが出来る。なお、図５に示すセンサにおいては、絶縁性ハウジング１３２が特許請求の範囲における絶縁保護体に相当する。
【符号の説明】
【００７９】
２…酸素センサ、４，５，７…検出素子、６…セラミックスリーブ、１０…リードフレーム、１２…フレーム本体、１４…折曲部、１６…波状部分、１６ａ…第１波状部分、１６ｂ…第２波状部分、３０，３２，３４，３６…電極部。
【図１】
2010197410.tif 000003
【図２】
2010197410.tif 000004
【図３】
2010197410.tif 000005
【図４】
2010197410.tif 000006
【図５】
2010197410.tif 000007
【図６】
2010197410.tif 000008
【図７】
2010197410.tif 000009
【手続補正書】
【提出日】平成22年7月15日(2010.7.15)
【手続補正１】
【補正対象書類名】明細書
【補正対象項目名】００１６
【補正方法】変更
【補正の内容】
【００１６】
かかる目的を達成するためになされた請求項１に記載の発明は、長板状の検出素子と、金属端子と、を備えたセンサにおける端子構造であり、金属端子が、検出素子に接触する接触部を有し、金属端子は、接触部が弾性変形して生じた弾性力によって、検出素子に対して弾性力を及ぼしており、検出素子は、表面に電極部が形成されており、電極部の個数が検出素子における上面と下面とで異なり、検出素子における上面に対応する金属端子の各幅の合計寸法と、検出素子における下面に対応する金属端子の各幅の合計寸法とが等しいこと、を特徴とするセンサの端子構造である。
【手続補正２】
【補正対象書類名】明細書
【補正対象項目名】００１９
【補正方法】変更
【補正の内容】
【００１９】
よって、本発明（請求項１）のセンサの端子構造によれば、より大きな付勢力で金属端子を検出素子に付勢する事ができ、金属端子と検出素子の安定的な接触を図ることが可能となる。また、付勢力が大きくなることで、高温環境においても、金属端子と検出素子との接触を良好に維持することができる。
また、本発明（請求項１）のセンサの端子構造においては、検出素子は、表面に電極部が形成されており、電極部の個数が検出素子における上面と下面とで異なり、検出素子における上面に対応する金属端子の各幅の合計寸法と、検出素子における下面に対応する金属端子の各幅の合計寸法とが等しくなるように構成されている。
つまり、本発明においては、電極部の個数が検出素子における上面と下面とで異なるものの、検出素子における上面に対応する金属端子の各幅の合計寸法と、検出素子における下面に対応する金属端子の各幅の合計寸法とが等しいことから、検出素子の上面および下面に対する付勢力のバランスを取ることができ、一部の電極部に対して過剰な付勢力が印加されるのを避けることができ、電極部が削り取られるのを防ぐことが出来る。
【手続補正３】
【補正対象書類名】明細書
【補正対象項目名】００２０
【補正方法】変更
【補正の内容】
【００２０】
そして、上述（請求項１）のセンサの端子構造は、例えば、金属端子が、検出素子と接触する複数の接触部を有するとよい。
このように、金属端子が１つの接触部のみではなく複数の接触部で検出素子と接触することにより、金属端子と検出素子との接触面積を大きく確保することが出来る。これにより、金属端子と検出素子との安定的な接触を維持することができる。
【手続補正４】
【補正対象書類名】明細書
【補正対象項目名】００２１
【補正方法】変更
【補正の内容】
【００２１】
また、上述（請求項１）のセンサの端子構造は、例えば、センサが、検出素子の周囲に絶縁保護体を有し、金属端子が、前記弾性力により検出素子と絶縁保護体に挟持されているとよい。
【手続補正５】
【補正対象書類名】明細書
【補正対象項目名】００２３
【補正方法】変更
【補正の内容】
【００２３】
よって、このように構成されたセンサの端子構造によれば、絶縁保護体と検出素子との間で金属端子を挟持することにより、より大きな付勢力で金属端子を検出素子に付勢する事ができ、寸法誤差が生じた場合でも、金属端子と検出素子の安定的な接触を図ることが可能となる。
【手続補正６】
【補正対象書類名】明細書
【補正対象項目名】００２５
【補正方法】変更
【補正の内容】
【００２５】
そして、上述（センサが、検出素子の周囲に絶縁保護体を有し、金属端子が、前記弾性力により検出素子と絶縁保護体に挟持されている構成）のセンサの端子構造は、例えば、金属端子が、検出素子又は絶縁保護体の少なくとも一方と接触する複数の接触部を有するとよい。
このように、金属端子が、１つの接触部だけではなく複数の接触部で検出素子または絶縁保護体と接触することにより、金属端子と検出素子との接触面積、あるいは金属端子と絶縁保護体との接触面積を大きく確保することが出来る。これにより、金属端子と検出素子との安定的な接触を維持することができ、また、金属端子と絶縁保護体との安定的な接触を維持することが出来る。
【手続補正７】
【補正対象書類名】明細書
【補正対象項目名】００２６
【補正方法】変更
【補正の内容】
【００２６】
また、上述（「センサが、検出素子の周囲に絶縁保護体を有し、金属端子が、前記弾性力により検出素子と絶縁保護体に挟持されている構成」または「センサが、検出素子の周囲に絶縁保護体を有し、金属端子が、前記弾性力により検出素子と絶縁保護体に挟持されており、金属端子が、検出素子又は絶縁保護体の少なくとも一方と接触する複数の接触部を有する構成」）のセンサの端子構造は、例えば、接触部を介して検出素子と絶縁保護体に挟持されている金属端子の被挟持部が、検出素子と絶縁保護体との間隔方向に高低差を有する波型形状に形成されているとよい。
【手続補正８】
【補正対象書類名】明細書
【補正対象項目名】００２８
【補正方法】変更
【補正の内容】
【００２８】
よって、このように構成されたセンサの端子構造によれば、同一検出素子における絶縁保護体との間隔が複数の金属端子毎にそれぞれ異なる場合や、温度変化による金属端子の膨張・収縮が繰り返された場合でも、金属端子と検出素子との接触不良が発生し難くなり、安定的な接触を維持することができる。
【手続補正９】
【補正対象書類名】明細書
【補正対象項目名】００２９
【補正方法】変更
【補正の内容】
【００２９】
次に、上述（請求項１）のセンサの端子構造においては、例えば、検出素子は、表面に電極部が形成されており、少なくとも接触部の一つは電極部と接触し、少なくとも接触部の別の一つは検出素子の電極部以外の表面において接触しているとよい。
【手続補正１０】
【補正対象書類名】明細書
【補正対象項目名】００３１
【補正方法】変更
【補正の内容】
【００３１】
よって、このように構成されたセンサの端子構造によれば、大きな付勢力で付勢される金属端子が、検出素子の固定と、電極部との電気的接続という複数の役割を果たすことにより、安定的な検出素子の固定を維持できるとともに、電極部との電気的接続を維持して通電経路での接触不良の発生を抑制できる。
【手続補正１１】
【補正対象書類名】明細書
【補正対象項目名】００３３
【補正方法】変更
【補正の内容】
【００３３】
また、上述（検出素子は、表面に電極部が形成されており、少なくとも接触部の一つは電極部と接触し、少なくとも接触部の別の一つは検出素子の電極部以外の表面において接触している構成）のセンサの端子構造においては、例えば、電極部に接触している接触部は、検出素子の電極部以外の表面に接触している接触部よりも検出素子に及ぼす弾性力が小さいとよい。
【手続補正１２】
【補正対象書類名】明細書
【補正対象項目名】００３６
【補正方法】変更
【補正の内容】
【００３６】
よって、このように構成されたセンサの端子構造によれば、金属端子と検出素子の電極部との電気的接続を維持することができると共に、検出素子が保持可能となることで、検出素子を保持するための部材を別途設ける必要が無くなり、センサの内部構造を簡略化することができる。
【手続補正１３】
【補正対象書類名】明細書
【補正対象項目名】００３８
【補正方法】変更
【補正の内容】
【００３８】
そして、上述（請求項１）のセンサの端子構造を適用するセンサとしては、請求項２に記載のように、内燃機関の排気管に装着されて、排気ガス中のガス成分を検出するガスセンサが適している。
【手続補正１４】
【補正対象書類名】明細書
【補正対象項目名】００４０
【補正方法】変更
【補正の内容】
【００４０】
よって、請求項２に記載のガスセンサによれば、高温から低温までの広い温度範囲において使用可能なガスセンサを実現することが出来る。
また、上述（請求項１）のセンサの端子構造を適用するセンサとしては、ガスセンサの他には、請求項３に記載のように、温度を検出する温度センサが適している。
【手続補正１５】
【補正対象書類名】明細書
【補正対象項目名】００４１
【補正方法】変更
【補正の内容】
【００４１】
つまり、上述のセンサの端子構造を適用した温度センサは、低温から高温までの広い温度範囲で、金属端子と検出素子との安定的な接触を維持することが可能となる。
よって、請求項３に記載の温度センサによれば、高温から低温までの広い温度範囲において使用可能な温度センサを実現することが出来る。
【手続補正１６】
【補正対象書類名】特許請求の範囲
【補正対象項目名】全文
【補正方法】変更
【補正の内容】
【特許請求の範囲】
【請求項１】
長板状の検出素子と、
金属端子と、を備えたセンサにおける端子構造であり、
前記金属端子が、前記検出素子に接触する接触部を有し、
前記金属端子は、前記接触部が弾性変形して生じた弾性力によって、前記検出素子に対して弾性力を及ぼしており、
前記検出素子は、表面に電極部が形成されており、
前記電極部の個数が前記検出素子における上面と下面とで異なり、
前記検出素子における上面に対応する前記金属端子の各幅の合計寸法と、前記検出素子における下面に対応する前記金属端子の各幅の合計寸法とが等しいこと、
を特徴とするセンサの端子構造。
【請求項２】
内燃機関の排気管に装着されて、排気ガス中のガス成分を検出するガスセンサであり、
請求項１に記載の端子構造を備えることを特徴とするガスセンサ。
【請求項３】
温度を検出する温度センサであり、
請求項１に記載の端子構造を備えることを特徴とする温度センサ。